(57)【要約】  本発明は、サービス登録更新方法、装置、サーバ、クライアント、プログラム及び記録媒体に関するものである。サービス登録更新方法は、サーバ側に適用され、クライアントからの第１のサービス登録更新要求を受信するステップと、クライアントの第１の通信識別子が登録されているサービスを取得するステップと、クライアントの第２の通信識別子を用いてサービスの登録情報を更新するステップとを含む。本発明によると、ユーザが通信識別子を交換した後、登録されているサービスを簡単に更新することができ、カスタマー・エクスペリエンスを向上させることができる。【選択図】図１
2016533581.tif 000002
【特許請求の範囲】
【請求項１】
サーバ側に適用されるサービス登録更新方法であって、
クライアントからの第１のサービス登録更新要求を受信するステップと、
前記クライアントの第１の通信識別子が登録されているサービスを取得するステップと、
前記クライアントの第２の通信識別子を用いて、前記サービスの登録情報を更新するステップと、
を含むことを特徴とするサービス登録更新方法。
【請求項２】
前記クライアントの第１の通信識別子が登録されているサービスを取得するステップは、
前記第１の通信識別子を用いて検索することにより、ローカルに記憶され、且つ前記第１の通信識別子に対応する登録サービスリストを取得するステップ、を含み、
前記登録サービスリストには、前記クライアントが前記第１の通信識別子を用いて受信し、且つ前記サーバに同期されたサービス登録メッセージから取得したサービスが含まれている、
ことを特徴とする請求項１に記載のサービス登録更新方法。
【請求項３】
前記クライアントの第２の通信識別子を用いて、前記サービスの登録情報を更新するステップは、
前記登録サービスリストを前記クライアントに送信するステップ、
を含むことを特徴とする請求項２に記載のサービス登録更新方法。
【請求項４】
前記クライアントの第２の通信識別子を用いて、前記サービスの登録情報を更新するステップは、
前記登録サービスリストからサービス登録更新を直接実行可能なサービスを選別するステップと、
前記選別したサービスの供給者に、前記第２の通信識別子が含まれている第２のサービス登録更新要求を送信するステップと、
前記選別したサービスを含まない登録サービスリストを、前記クライアントに送信するステップと、
を含むことを特徴とする請求項２に記載のサービス登録更新方法。
【請求項５】
前記登録サービスリストからサービス登録更新を直接実行可能なサービスを選別するステップは、
前記登録サービスリストにおける一番目のサービスから始めて、前記登録サービスリストにおける各サービスの種類を照会するステップと、
前記種類が「サービス登録更新を直接実行可能」であるサービスを選別するステップと、を含み、
前記種類は、前記クライアントが前記第１の通信識別子を用いて受信し、且つ前記サーバに同期されたサービス登録メッセージからサービスを取得する際、前記クライアントの前記サービス登録メッセージに対する備考情報に基づいて標記したものである、
ことを特徴とする請求項４に記載のサービス登録更新方法。
【請求項６】
前記登録サービスリストからサービス登録更新を直接実行可能なサービスを選別するステップは、
前記登録サービスリストにおける一番目のサービスから始めて、前記登録サービスリストにおける各サービスの供給者を照会するステップと、
サービス登録更新を直接実行可能なリストに属するサービスの供給者に対応するサービスを選別するステップと、
を含むことを特徴とする請求項４に記載のサービス登録更新方法。
【請求項７】
前記クライアントの第２の通信識別子を用いて、前記サービスの登録情報を更新するステップは、
前記クライアントに、前記サービス登録更新を直接実行可能なサービスについてサービス登録更新を実行することを通知するための確認要求通知を送信するステップと、
前記確認要求通知に対する前記クライアントの確認指示を受信するステップと、
前記確認指示を受信した後、前記選別したサービスの供給者に第２のサービス登録更新要求を送信するステップと、
をさらに含むことを特徴とする請求項４に記載のサービス登録更新方法。
【請求項８】
クライアント側に適用されるサービス登録更新方法であって、
サービス登録更新のトリガイベントをモニタリングするステップと、
サーバに第１のサービス登録更新要求を送信するステップと、
前記サーバから、前記クライアントの第１の通信識別子を用いて受信し、且つ前記サーバに同期されたサービス登録メッセージに対応するサービスが記載されている登録サービスリストを受信するステップと、
前記登録サービスリストに記載されているサービスの供給者に、前記クライアントの第２の通信識別子が含まれている第２のサービス登録更新要求を送信するステップと、
を含むことを特徴とするサービス登録更新方法。
【請求項９】
前記登録サービスリストに記載されているサービスの供給者に第２のサービス登録更新要求を送信するステップは、
前記登録サービスリストを表示するステップと、
ユーザが入力した実行命令を受信するステップと、
前記登録サービスリストに記載されているサービスの供給者に第２のサービス登録更新要求を送信するステップと、
を含むことを特徴とする請求項８に記載のサービス登録更新方法。
【請求項１０】
前記サーバから、サービス登録更新を直接実行可能なサービスについて前記サーバがサービス登録更新を実行することを通知するための確認要求通知を受信するステップと、
前記サーバに、前記確認要求通知に対する確認指示を送信するステップと、
をさらに含むことを特徴とする請求項８に記載のサービス登録更新方法。
【請求項１１】
前記第１の通信識別子を用いてメッセージを受信するステップと、
前記メッセージから、サービスが記載されているメッセージを選択して、サービス登録メッセージにするステップと、
前記第１の通信識別子を用いて、前記サービス登録メッセージを前記サーバに同期させるステップと、
をさらに含むことを特徴とする請求項８に記載のサービス登録更新方法。
【請求項１２】
サーバ側に適用されるサービス登録更新装置であって、
クライアントからの第１のサービス登録更新要求を受信する受信モジュールと、
前記クライアントの第１の通信識別子が登録されているサービスを取得する取得モジュールと、
前記クライアントの第２の通信識別子を用いて、前記サービスの登録情報を更新する更新モジュールと、
を含むことを特徴とするサービス登録更新装置。
【請求項１３】
前記取得モジュールは、前記第１の通信識別子を用いて検索することにより、ローカルに記憶され、且つ前記第１の通信識別子に対応する登録サービスリストを取得し、
前記登録サービスリストには、前記クライアントが前記第１の通信識別子を用いて受信し、且つ前記サーバに同期されたサービス登録メッセージから取得したサービスが含まれている、
ことを特徴とする請求項１２に記載のサービス登録更新装置。
【請求項１４】
前記更新モジュールは、前記登録サービスリストを前記クライアントに送信する、ことを特徴とする請求項１３に記載のサービス登録更新装置。
【請求項１５】
前記更新モジュールは、
前記登録サービスリストからサービス登録更新を直接実行可能なサービスを選別する選別サブモジュールと、
前記選別したサービスの供給者に前記第２の通信識別子が含まれている第２のサービス登録更新要求を送信する第１の送信サブモジュールと、
前記選別したサービスを含まない登録サービスリストを前記クライアントに送信する第２の送信サブモジュールと、
を含むことを特徴とする請求項１３に記載のサービス登録更新装置。
【請求項１６】
前記選別サブモジュールは、前記登録サービスリストにおける一番目のサービスから始めて、前記登録サービスリストにおける各サービスの種類を照会し、前記種類が「サービス登録更新を直接実行可能」であるサービスを選別し、
前記種類は、前記クライアントが前記第１の通信識別子を用いて受信し、且つ前記サーバに同期されたサービス登録メッセージからサービスを取得する際、前記クライアントの前記サービス登録メッセージに対する備考情報に基づいて標記したものである、
ことを特徴とする請求項１５に記載のサービス登録更新装置。
【請求項１７】
前記選別サブモジュールは、前記登録サービスリストにおける一番目のサービスから始めて、前記登録サービスリストにおける各サービスの供給者を照会し、サービス登録更新を直接実行可能なリストに属するサービスの供給者に対応するサービスを選別する、ことを特徴とする請求項１５に記載のサービス登録更新装置。
【請求項１８】
前記更新モジュールは、
前記クライアントに確認要求通知を送信し、前記確認要求通知に対する前記クライアントの確認指示を受信し、前記確認指示を受信した後、前記第２の送信サブモジュールが動作を行うようにトリガするトリガサブモジュール、をさらに含み、
前記確認要求通知は、前記サービス登録更新を直接実行可能なサービスについてサービス登録更新を実行することを通知するためのものである、
ことを特徴とする請求項１５に記載のサービス登録更新装置。
【請求項１９】
クライアント側に適用されるサービス登録更新装置であって、
サービス登録更新のトリガイベントをモニタリングするモニタリングモジュールと、
サーバに第１のサービス登録更新要求を送信する第１の送信モジュールと、
前記サーバから、前記クライアントの第１の通信識別子を用いて受信し、且つ前記サーバに同期されたサービス登録メッセージに対応するサービスが記載されている登録サービスリストを受信する受信モジュールと、
前記登録サービスリストに記載されているサービスの供給者に、前記クライアントの第２の通信識別子が含まれている第２のサービス登録更新要求を送信する第２の送信モジュールと、
を含むことを特徴とするサービス登録更新装置。
【請求項２０】
前記第２の送信モジュールは、
前記登録サービスリストを表示する表示サブモジュールと、
ユーザが入力した実行命令を受信する受信サブモジュールと、
前記受信サブモジュールが前記実行命令を受信した後、前記登録サービスリストに記載されているサービスの供給者に第２のサービス登録更新要求を送信する実行サブモジュールと、
を含むことを特徴とする請求項１９に記載のサービス登録更新装置。
【請求項２１】
前記サーバから、サービス登録更新を直接実行可能なサービスについて前記サーバがサービス登録更新を実行することを通知するための確認要求通知を受信する通知受信モジュールと、
前記サーバに、前記確認要求通知に対する確認指示を送信する確認送信モジュールと、
をさらに含むことを特徴とする請求項１９に記載のサービス登録更新装置。
【請求項２２】
前記第１の通信識別子を用いてメッセージを受信するメッセージ受信モジュールと、
前記メッセージから、サービスが記載されているメッセージを選択して、サービス登録メッセージにする選択モジュールと、
前記第１の通信識別子を用いて、前記サービス登録メッセージを前記サーバに同期させる同期モジュールと、
をさらに含むことを特徴とする請求項１９に記載のサービス登録更新装置。
【請求項２３】
プロセッサと、
前記プロセッサによって実行可能な命令を記憶するためのメモリと、を含み、
前記プロセッサは、
クライアントからの第１のサービス登録更新要求を受信し、
前記クライアントの第１の通信識別子が登録されているサービスを取得し、
前記クライアントの第２の通信識別子を用いて、前記サービスの登録情報を更新するように構成される、
ことを特徴とするサーバ。
【請求項２４】
プロセッサと、
前記プロセッサによって実行可能な命令を記憶するためのメモリと、を含み、
前記プロセッサは、
サービス登録更新のトリガイベントをモニタリングし、
サーバに第１のサービス登録更新要求を送信し、
前記サーバから、前記クライアントの第１の通信識別子を用いて受信し、且つ前記サーバに同期されたサービス登録メッセージに対応するサービスが記載されている登録サービスリストを受信し、
前記登録サービスリストに記載されているサービスの供給者に、前記クライアントの第２の通信識別子が含まれている第２のサービス登録更新要求を送信するように構成される、
ことを特徴とするクライアント。
【発明の詳細な説明】
【技術分野】
【０００１】
本願は、出願番号がＣＮ２０１４１０３４０３１８．４であって、出願日が２０１４年７月１６日である中国特許出願に基づき優先権を主張し、当該中国特許出願のすべての内容を本願に援用する。
【０００２】
本発明は、インターネット分野に関し、特に、サービス登録更新方法、装置、サーバ、及びクライアントに関する。
【背景技術】
【０００３】
現在、ユーザがウェブサイトまたは幾つかの機関から提供されるサービスを使用するとき、一般的に、ユーザは、例えば携帯電話番号などの通信識別子を用いて登録することを要求される。使用するサービスが多くなるにつれて、これらのサービス機関の名称を記憶することが困難になっている。特に、ユーザが新たな通信識別子を交換した後、新たな通信識別子を用いて一つずつ再登録する必要があるので、操作が非常に面倒である。
【発明の概要】
【０００４】
本発明は、関連技術に存在する問題を解決するために、サービス登録更新方法、装置、サーバ、及びクライアントを提供する。
【０００５】
本発明の実施例の第１の態様によると、サーバ側に適用されるサービス登録更新方法を提供する。このサービス登録更新方法は、クライアントからの第１のサービス登録更新要求を受信するステップと、前記クライアントの第１の通信識別子が登録されているサービスを取得するステップと、前記クライアントの第２の通信識別子を用いて、前記サービスの登録情報を更新するステップと、を含む。
【０００６】
可能な実施形態として、前記クライアントの第１の通信識別子が登録されているサービスを取得するステップは、前記第１の通信識別子を用いて検索することにより、ローカルに記憶され、且つ前記第１の通信識別子に対応する登録サービスリストを取得するステップを含み、前記登録サービスリストには、前記クライアントが前記第１の通信識別子を用いて受信し、且つ前記サーバに同期されたサービス登録メッセージから取得したサービスが含まれていてもよい。
【０００７】
前記実施形態を基礎として、さらに、前記クライアントの第２の通信識別子を用いて、前記サービスの登録情報を更新するステップは、前記登録サービスリストを前記クライアントに送信するステップを含んでもよい。
【０００８】
前記実施形態を基礎として、さらに、前記クライアントの第２の通信識別子を用いて、前記サービスの登録情報を更新するステップは、前記登録サービスリストからサービス登録更新を直接実行可能なサービスを選別するステップと、前記選別したサービスの供給者に、前記第２の通信識別子が含まれている第２のサービス登録更新要求を送信するステップと、前記選別したサービスを含まない登録サービスリストを前記クライアントに送信するステップと、をさらに含んでもよい。
【０００９】
さらに、前記登録サービスリストからサービス登録更新を直接実行可能なサービスを選別するステップは、前記登録サービスリストにおける一番目のサービスから始めて、前記登録サービスリストにおける各サービスの種類を照会するステップと、前記種類が「サービス登録更新を直接実行可能」であるサービスを選別するステップと、を含んでもよく、前記種類は、前記クライアントが前記第１の通信識別子を用いて受信し、且つ前記サーバに同期されたサービス登録メッセージからサービスを取得する際、前記クライアントの前記サービス登録メッセージに対する備考情報に基づいて標記したものである。
【００１０】
さらに、別の可能な実施形態として、前記登録サービスリストからサービス登録更新を直接実行可能なサービスを選別するステップは、前記登録サービスリストにおける一番目のサービスから始めて、前記登録サービスリストにおける各サービスの供給者を照会するステップと、サービス登録更新を直接実行可能なリストに属するサービスの供給者に対応するサービスを選別するステップと、を含んでもよい。
【００１１】
さらに、第３の可能な実施形態として、前記クライアントの第２の通信識別子を用いて、前記サービスの登録情報を更新するステップは、前記クライアントに、前記サービス登録更新を直接実行可能なサービスについてサービス登録更新を実行することを通知するための確認要求通知を送信するステップと、前記確認要求通知に対する前記クライアントの確認指示を受信するステップと、前記確認指示を受信した後、選別した前記サービスの供給者に第２のサービス登録更新要求を送信するステップと、をさらに含んでもよい。
【００１２】
本発明の実施例の第２の態様によると、クライアント側に適用されるサービス登録更新方法を提供する。このサービス登録更新方法は、サービス登録更新のトリガイベントをモニタリングするステップと、サーバに第１のサービス登録更新要求を送信するステップと、前記サーバから、前記クライアントの第１の通信識別子を用いて受信し、且つ前記サーバに同期されたサービス登録メッセージに対応するサービスが記載されている登録サービスリストを受信するステップと、前記登録サービスリストに記載されているサービスの供給者に、前記クライアントの第２の通信識別子が含まれている第２のサービス登録更新要求を送信するステップと、を含む。
【００１３】
可能な実施形態として、前記登録サービスリストに記載されているサービスの供給者に第２のサービス登録更新要求を送信するステップは、前記登録サービスリストを表示するステップと、ユーザが入力した実行命令を受信するステップと、前記登録サービスリストに記載されているサービスの供給者に第２のサービス登録更新要求を送信するステップと、を含んでもよい。
【００１４】
別の可能な実施形態として、前記方法は、前記サーバから、サービス登録更新を直接実行可能なサービスについて前記サーバがサービス登録更新を実行することを通知するための確認要求通知を受信するステップと、前記サーバに、前記確認要求通知に対する確認指示を送信するステップと、をさらに含んでもよい。
【００１５】
第３の可能な実施形態として、前記方法は、前記第１の通信識別子を用いてメッセージを受信するステップと、前記メッセージから、サービスが記載されているメッセージを選択して、サービス登録メッセージにするステップと、前記第１の通信識別子を用いて、前記サービス登録メッセージを前記サーバに同期させるステップと、をさらに含んでもよい。
【００１６】
本発明の実施例の第３の態様によると、サーバ側に適用されるサービス登録更新装置を提供する。このサービス登録更新装置は、クライアントからの第１のサービス登録更新要求を受信する受信モジュールと、前記クライアントの第１の通信識別子が登録されているサービスを取得する取得モジュールと、前記クライアントの第２の通信識別子を用いて、前記サービスの登録情報を更新する更新モジュールとを含む。
【００１７】
可能な実施形態として、前記取得モジュールは、前記第１の通信識別子を用いて検索することにより、ローカルに記憶され、且つ前記第１の通信識別子に対応する登録サービスリストを取得してもよく、前記登録サービスリストには、前記クライアントが前記第１の通信識別子を用いて受信し、且つ前記サーバに同期されたサービス登録メッセージから取得したサービスが含まれている。
【００１８】
前記実施形態を基礎として、さらに、前記更新モジュールは、前記登録サービスリストを前記クライアントに送信してもよい。
【００１９】
さらに、別の可能な実施形態として、前記更新モジュールは、前記登録サービスリストからサービス登録更新を直接実行可能なサービスを選別する選別サブモジュールと、前記選別したサービスの供給者に、前記第２の通信識別子が含まれている第２のサービス登録更新要求を送信する第１の送信サブモジュールと、前記選別したサービスを含まない登録サービスリストを前記クライアントに送信する第２の送信サブモジュールと、を含んでもよい。
【００２０】
さらに、前記選別サブモジュールは、前記登録サービスリストにおける一番目のサービスから始めて、前記登録サービスリストにおける各サービスの種類を照会し、前記種類が「サービス登録更新を直接実行可能」であるサービスを選別してもよく、前記種類は、前記クライアントが前記第１の通信識別子を用いて受信し、且つ前記サーバに同期されたサービス登録メッセージからサービスを取得する際、前記クライアントの前記サービス登録メッセージに対する備考情報に基づいて標記したものである。
【００２１】
さらに、別の実施形態として、前記選別サブモジュールは、前記登録サービスリストにおける一番目のサービスから始めて、前記登録サービスリストにおける各サービスの供給者を照会し、サービス登録更新を直接実行可能なリストに属するサービスの供給者に対応するサービスを選別してもよい。
【００２２】
さらに、第３の可能な実施形態として、前記更新モジュールは、前記クライアントに確認要求通知を送信し、前記確認要求通知に対する前記クライアントの確認指示を受信し、前記確認指示を受信した後、前記第２の送信サブモジュールが動作を行うようにトリガするトリガサブモジュールをさらに含んでもよく、前記確認要求通知は、前記サービス登録更新を直接実行可能なサービスについてサービス登録更新を実行することを通知するためのものである。
【００２３】
本発明の実施例の第４の態様によると、クライアント側に適用されるサービス登録更新装置を提供する。このサービス登録更新装置は、サービス登録更新のトリガイベントをモニタリングするモニタリングモジュールと、サーバに第１のサービス登録更新要求を送信する第１の送信モジュールと、前記サーバから、前記クライアントの第１の通信識別子を用いて受信し、且つ前記サーバに同期されたサービス登録メッセージに対応するサービスが記載されている登録サービスリストを受信する受信モジュールと、前記登録サービスリストに記載されているサービスの供給者に、前記クライアントの第２の通信識別子が含まれている第２のサービス登録更新要求を送信する第２の送信モジュールと、を含む。
【００２４】
可能な実施形態として、前記第２の送信モジュールは、前記登録サービスリストを表示する表示サブモジュールと、ユーザが入力した実行命令を受信する受信サブモジュールと、前記受信サブモジュールが前記実行命令を受信した後、前記登録サービスリストに記載されているサービスの供給者に第２のサービス登録更新要求を送信する実行サブモジュールと、を含んでもよい。
【００２５】
別の可能な実施形態として、前記装置は、前記サーバから、サービス登録更新を直接実行可能なサービスについて前記サーバがサービス登録更新を実行することを通知するための確認要求通知を受信する通知受信モジュールと、前記サーバに、前記確認要求通知に対する確認指示を送信する確認送信モジュールと、をさらに含んでもよい。
【００２６】
第３の可能な実施形態として、前記装置は、前記第１の通信識別子を用いてメッセージを受信するメッセージ受信モジュールと、前記メッセージから、サービスが記載されているメッセージを選択して、サービス登録メッセージにする選択モジュールと、前記第１の通信識別子を用いて、前記サービス登録メッセージを前記サーバに同期させる同期モジュールと、をさらに含んでもよい。
【００２７】
本発明の実施例の第５の態様によると、サーバを提供する。このサーバは、プロセッサと、前記プロセッサによって実行可能な命令を記憶するためのメモリと、を含む。前記プロセッサは、クライアントからの第１のサービス登録更新要求を受信し、前記クライアントの第１の通信識別子が登録されているサービスを取得し、前記クライアントの第２の通信識別子を用いて、前記サービスの登録情報を更新するように構成される。
【００２８】
本発明の実施例の第６の態様によると、クライアントを提供する。このクライアントは、プロセッサと、前記プロセッサによって実行可能な命令を記憶するためのメモリと、を含む。前記プロセッサは、サービス登録更新のトリガイベントをモニタリングし、サーバに第１のサービス登録更新要求を送信し、前記サーバから、前記クライアントの第１の通信識別子を用いて受信し、且つ前記サーバに同期されたサービス登録メッセージに対応するサービスが記載されている登録サービスリストを受信し、前記登録サービスリストに記載されているサービスの供給者に、前記クライアントの第２の通信識別子が含まれている第２のサービス登録更新要求を送信するように構成される。
【００２９】
本発明の実施例に係る技術案は、以下の有益な効果を有する。ユーザは、通信識別子を交換した後、登録されているサービスを簡単に更新することができ、カスタマー・エクスペリエンスを向上させることができる。
【００３０】
以上の一般的な記述と、以下の詳細の記述は、単なる例示的なものであって、本発明を限定するものではないことを理解すべきである。
【図面の簡単な説明】
【００３１】
ここでの図面は、明細書に組み入れて本明細書の一部を構成し、本発明に該当する実施例を例示するとともに、明細書とともに本発明の原理を解釈するために用いられる。
【００３２】
【図１】一つの例示的な実施例に係る登録更新方法のフローチャートである。
【図２】一つの例示的な実施例に係る登録更新方法のフローチャートである。
【図３】一つの例示的な実施例に係る登録更新方法のフローチャートである。
【図４】一つの例示的な実施例に係る登録更新方法のフローチャートである。
【図５】一つの例示的な実施例に係る登録更新装置の模式図である。
【図６】一つの例示的な実施例に係る登録更新装置の模式図である。
【図７】一つの例示的な実施例に係るサーバの模式図である。
【図８】一つの例示的な実施例に係るクライアントの模式図である。
【発明を実施するための形態】
【００３３】
ここで、図面に示される例示的な実施例について詳細に説明する。以下、図面に関して説明する際に、特段の説明がない限り、異なる図面での同一符号は、同一または類似する要素を示す。以下の例示的な実施例で記載する実施形態は、本発明に合致する全ての実施形態を代表するわけではない。むしろ、それらは、添付される特許請求の範囲で詳細に記載される本発明の一部の態様に合致する装置、及び方法の例に過ぎない。
【００３４】
図１は、一つの例示的な実施例に係る登録更新方法のフローチャートである。この方法は、サーバ側に適用され、下記のステップを含む。
【００３５】
ステップＳ１１０において、クライアントからの第１のサービス登録更新要求を受信する。
【００３６】
ステップＳ１１２において、クライアントの第１の通信識別子が登録されているサービスを取得する。
【００３７】
ステップＳ１１４において、クライアントの第２の通信識別子を用いてサービスの登録情報を更新する。
【００３８】
例えば、第１の通信識別子は、ユーザの以前の携帯電話番号であり、第２の通信識別子は、ユーザの新たな携帯電話番号であってもよい。クライアントは、ユーザの携帯電話であってもよく、ＰＣやタブレットＰＣなどのスマート製品であってもよい。本実施例において、ユーザは、通信識別子を交換した後、登録されているサービスを簡単に更新することができ、カスタマー・エクスペリエンスを向上させることができる。
【００３９】
１つの可能な実施形態として、ステップＳ１１２は、第１の通信識別子を用いて検索することにより、ローカルに記憶され、且つ第１の通信識別子に対応する登録サービスリストを取得するステップを含む。登録サービスリストには、クライアントが第１の通信識別子を用いて受信し、且つサーバに同期されたサービス登録メッセージから取得したサービスが含まれている。
【００４０】
現在、ユーザは、サービスを使用する際、一般的に携帯電話番号を用いてサービス供給者に登録する必要があり、サービス供給者は、一般的にユーザにサービス登録メッセージを提供する。上記メッセージには、認証番号が含まれている可能性もあり、単に登録成功を通知する可能性もあり、その具体的な形態は限定されない。例えば、上記サービス登録メッセージは、サービス登録ショットメッセージである。
【００４１】
図２は、一つの例示的な実施例に係る登録更新方法のフローチャートである。この方法は、サーバ側に適用され、下記のステップを含む。
【００４２】
ステップＳ２１０において、クライアントからの第１のサービス登録更新要求を受信する。
【００４３】
ステップＳ２１２において、第１の通信識別子を用いて検索することにより、ローカルに記憶され、且つ第１の通信識別子に対応する登録サービスリストを取得する。上記登録サービスリストには、上記クライアントが上記第１の通信識別子を用いて受信し、且つ上記サーバに同期されたサービス登録メッセージから取得したサービスが含まれている。
【００４４】
ユーザが通信識別子を用いていくつかのサービスに登録し、そのサービスを使用した後、ユーザが使用しているクライアントは、受信した認証番号、情報通知などのメッセージを解析することができる。これらのメッセージは、ユーザの通信識別子がいくつかの機関のサービスに関連し、さらに登録ＩＤとして使用されることを表すため、サービス登録メッセージとして特定することができる。ユーザが使用しているクライアントは、サービス登録メッセージをサーバに同期させることができ、サーバは、サービス登録メッセージからサービスを取得し、登録サービスリストに追加する。
【００４５】
ステップＳ２１４において、上記登録サービスリストを上記クライアントに送信する。
【００４６】
本実施例において、クライアントからサービス登録更新の要求がある場合、サーバは、クライアントが必要とする登録サービスリストを整理してクライアントに送信し、クライアントがサーバから提供された登録サービスリストに基づいてサービス登録更新を実行するようにする。これにより、ユーザ自身がサービス登録更新を実行する必要があるサービスを自分で探して整理する手順を省略し、ユーザの操作を簡素化した。
【００４７】
図３は、一つの例示的な実施例に係る登録更新方法のフローチャートである。この方法は、サーバ側に適用され、下記のステップを含む。
【００４８】
ステップＳ３１０において、クライアントからの第１のサービス登録更新要求を受信する。
【００４９】
ステップＳ３１２において、第１の通信識別子を用いて検索することにより、ローカルに記憶され、且つ第１の通信識別子に対応する登録サービスリストを取得する。上記登録サービスリストには、上記クライアントが上記第１の通信識別子を用いて受信し、且つ上記サーバに同期されたサービス登録メッセージから取得したサービスが含まれている。
【００５０】
ユーザが通信識別子を用いていくつかのサービスに登録し、そのサービスを使用した後、ユーザが使用しているクライアントは、受信した認証番号、情報通知などのメッセージを解析することができる。これらのメッセージは、ユーザの通信識別子がいくつかの機関のサービスに関連し、さらに登録ＩＤとして使用されることを表すため、サービス登録メッセージとして特定することができる。ユーザが使用しているクライアントは、サービス登録メッセージをサーバに同期させることができ、サーバは、サービス登録メッセージからサービスを取得し、登録サービスリストに追加する。
【００５１】
ステップＳ３１４において、上記登録サービスリストからサービス登録更新を直接実行可能なサービスを選別する。
【００５２】
１つの可能な実施形態として、上記登録サービスリストからサービス登録更新を直接実行可能なサービスを選別するステップは、下記のサブステップを含む。
【００５３】
サブステップ１において、上記登録サービスリストにおける一番目のサービスから始めて上記登録サービスリストにおける各サービスの種類を照会する。
【００５４】
サブステップ２において、上記種類が「サービス登録更新を直接実行可能」であるサービスを選別する。
【００５５】
サーバは、上記クライアントが上記第１の通信識別子を用いて受信し、且つサーバに同期されたサービス登録メッセージからサービスを取得する際、上記クライアントが上記サービス登録メッセージに対する備考情報に基づいて、上記種類を標記する。例えば、あるサービス登録メッセージについて、クライアントの備考情報が「アリペイ（Ａｌｉｐａｙ）」である場合、財務に関連する個人のプライバシー情報であるので、当該サービス登録メッセージに対して「サービス登録更新を直接実行不可能」と標記することができる。すなわち、ユーザ自身がサービス登録更新を行う必要がある。また、例えば、あるサービス登録メッセージについて、クライアントの備考情報が「一般的な情報検索機関」である場合、プライバシー情報に関連しないので、当該サービス登録メッセージに対して「サービス登録更新を直接実行可能」と標記することができる。すなわち、サーバは、ユーザの代わりに直接サービス登録更新を行うことができる。どのような備考情報に基づいてどのようなタイプを標記できるかそのルールについては、予め設定することができる。
【００５６】
別の１つの可能な実施形態として、上記登録サービスリストからサービス登録更新を直接実行可能なサービスを選別するステップは、下記のサブステップを含む。
【００５７】
サブステップ１’において、上記登録サービスリストにおける一番目のサービスから始めて上記登録サービスリストにおける各サービスの供給者を照会する。
【００５８】
サブステップ２’において、サービス登録更新を直接実行可能なリストに属するサービスの供給者に対応するサービスを選別する。
【００５９】
この場合、クライアントは、サービス登録メッセージの同期時に、備考情報を作成しなくてもよい。クライアントがサービス登録更新を実行する必要があるとき、サーバは、各サービスの供給者を自身で解釈し、予め設定されたサービス登録更新を直接実行可能なリストから検索する。あるサービスの供給者が上記リストに属している場合、このサービスがサービス登録更新を直接実行可能なサービスであることを表す。つまり、ユーザ自身がサービス登録更新を実行する必要がないことを表す。
【００６０】
ステップＳ３１６において、上記選別されたサービスの供給者に上記第２の通信識別子が含まれている第２のサービス登録更新要求を送信する。
【００６１】
ステップＳ３１８において、上記選別されたサービスを含まない登録サービスリストを上記クライアントに送信する。
【００６２】
ステップＳ３１８において、１つの可能な実施形態として、まずサービス登録更新を直接実行可能なサービスについてサーバが直接サービス登録更新を実行することを通知するための確認要求通知をクライアントに送信して、確認要求通知に対するクライアントの確認指示を受信した後、上記選別したサービスの供給者に第２のサービス登録更新要求を送信するステップを行ってもよい。
【００６３】
本実施例において、クライアントからサービス登録更新の要求がある場合、サービスの種類を分類する。一部のサービスについては、サーバが直接サービス登録更新を実行し、他の一部のサービスは、登録サービスリストをクライアントに送信する。したがって、クライアントは、サーバから提供された登録サービスリストに基づいてサービス登録更新を実行することにより、ユーザがサービス登録更新を実行する必要があるサービスを直接探して整理する手順を省略することができるだけではなく、一部のサービスについては、直接サーバにサービス登録更新を行ってもらうことで、ユーザの操作を簡素化することができる。
【００６４】
図４は、一つの例示的な実施例に係る登録更新方法のフローチャートである。この方法は、クライアント側に適用され、下記のステップを含む。
【００６５】
ステップＳ４１０において、サービス登録更新のトリガイベントをモニタリングする。
【００６６】
ステップＳ４１２において、サーバに第１のサービス登録更新要求を送信する。
【００６７】
ステップＳ４１４において、上記サーバからの登録サービスリストを受信する。
【００６８】
ここで、登録サービスリストには、上記クライアントの第１の通信識別子を用いて受信し、且つ上記サーバに同期されたサービス登録メッセージに対応するサービスが含まれている。
【００６９】
ステップＳ４１６において、上記登録サービスリストに記載されているサービスの供給者に、上記クライアントの第２の通信識別子が含まれている第２のサービス登録更新要求を送信する。
【００７０】
例えば、第１の通信識別子は、ユーザの以前の携帯電話番号であり、第２の通信識別子は、ユーザの新たな携帯電話番号であってもよい。クライアントは、ユーザの携帯電話であってもよく、ＰＣやタブレットＰＣなどのスマート製品であってもよい。本実施例において、ユーザは、通信識別子を交換した後、登録されているサービスを簡単に更新することができ、カスタマー・エクスペリエンスを向上させることができる。
【００７１】
１つの可能な実施形態として、登録サービスリストに記載されているサービスの供給者に第２のサービス登録更新要求を送信する際、ユーザに登録サービスリストを表示し、ユーザが入力した実行命令を受信することができる。ユーザは、表示された登録サービスリストからサービス登録更新を行う必要があるサービスを選択することができる。上記実行命令を受信した後、登録サービスリストに記載されているサービスの供給者に第２のサービス登録更新要求を送信する。
【００７２】
本実施例において、ユーザは、クライアントが受信した登録サービスリストから登録更新が必要なサービスを迅速かつ容易に確認することができ、ショットメッセージリストを一つずつ探す必要がないため、ユーザ・エクスペリエンスを向上させる。例えば、ユーザが通信識別子を交換した後、以前の通信識別子で登録したサービスを統括して簡単に再登録することができるので、ユーザ・エクスペリエンスを向上させる。
【００７３】
１つの可能な実施形態として、本実施例では、サーバからサービス登録更新を直接実行可能なサービスについて上記サーバが直接サービス登録更新を実行することを通知するための確認要求通知を受信するステップと、上記サーバに上記確認要求通知に対する確認指示を送信するステップとを含んでもよい。
【００７４】
本実施例において、ユーザは、手動で登録する必要がないサービスについて、サーバにアクセス権限を与えて自動的に登録させることにより、ユーザが通信識別子を交換した後に再登録する手間をさらに省くことができ、カスタマー・エクスペリエンスを大幅に向上させることができる。
【００７５】
１つの可能な実施形態として、本方法は、第１の通信識別子を用いてメッセージを受信するステップと、メッセージからサービスが記載されているメッセージを選択して、サービス登録メッセージにするステップと、第１の通信識別子を用いてサービス登録メッセージをサーバに同期させるステップとをさらに含んでもよい。
【００７６】
図５は、別の例示的な実施例に係るサービス登録更新装置の模式図である。この装置は、サーバ側に適用され、
クライアントからの第１のサービス登録更新要求を受信する受信モジュール１１０と、
クライアントの第１の通信識別子が登録されているサービスを取得する取得モジュール１１２と、
クライアントの第２の通信識別子を用いてサービスの登録情報を更新する更新モジュール１１４と、を含む。
【００７７】
例えば、第１の通信識別子は、ユーザの以前の携帯電話番号であり、第２の通信識別子は、ユーザの新たな携帯電話番号であってもよい。クライアントは、ユーザの携帯電話であってもよく、ＰＣやタブレットＰＣなどのスマート製品であってもよい。本実施例において、ユーザは、通信識別子を交換した後、登録されているサービスを簡単に更新することができ、カスタマー・エクスペリエンスを向上させることができる。
【００７８】
１つの可能な実施形態として、取得モジュール１１２は、上記第１の通信識別子を用いて検索することにより、ローカルに記憶され、且つ上記第１の通信識別子に対応する登録サービスリストを取得する。上記登録サービスリストには、上記クライアントが上記第１の通信識別子を用いて受信し、且つ上記サーバに同期されたサービス登録メッセージから取得したサービスが含まれている。
【００７９】
これを基礎として、更新モジュール１１４は、登録サービスリストをクライアントに送信することができる。
【００８０】
したがって、クライアントからサービス登録更新の要求がある場合、サーバは、クライアントが必要とする登録サービスリストを整理してクライアントに送信し、クライアントがサーバから提供された登録サービスリストに基づいてサービス登録更新を実行するようにする。これにより、ユーザ自身がサービス登録更新を実行する必要があるサービスを探して整理する手順を省略し、ユーザの操作を簡素化した。例えば、ユーザは、通信識別子を交換した後、通信識別子で登録したサービスを統括して簡単に再登録することができ、ユーザ・エクスペリエンスを向上させる。
【００８１】
１つの可能な実施形態として、取得モジュール１１２は、上記第１の通信識別子を用いて検索することにより、ローカルに記憶され、且つ上記第１の通信識別子に対応する登録サービスリストを取得してもよい。上記登録サービスリストには、上記クライアントが上記第１の通信識別子を用いて受信し、且つ上記サーバに同期されたサービス登録メッセージから取得したサービスが含まれている。
【００８２】
これを基礎として、更新モジュール１１４は、選別サブモジュール、第１の送信サブモジュール、及び第２の送信サブモジュールを含んでもよい。
【００８３】
上記選別サブモジュールは、上記登録サービスリストからサービス登録更新を直接実行可能なサービスを選別する。
【００８４】
上記第１の送信サブモジュールは、上記選別したサービスの供給者に、上記第２の通信識別子が含まれている第２のサービス登録更新要求を送信する。
【００８５】
上記第２の送信サブモジュールは、上記選別したサービスを含まない登録サービスリストを上記クライアントに送信する。
【００８６】
さらに、上記選別サブモジュールは、上記登録サービスリストにおける一番目のサービスから始めて、上記登録サービスリストにおける各サービスの種類を照会し、上記種類が「サービス登録更新を直接実行可能」であるサービスを選別する。
【００８７】
または、さらに、上記選別サブモジュールは、上記登録サービスリストにおける一番目のサービスから始めて、上記登録サービスリストにおける各サービスの供給者を照会し、サービス登録更新を直接実行可能なリストに属するサービスの供給者に対応するサービスを選別する。
【００８８】
または、さらに、上記更新モジュールは、サービス登録更新を直接実行可能なサービスについてサーバが直接サービス登録更新を実行することを通知するための確認要求通知を上記クライアントに送信し、上記確認要求通知に対する上記クライアントの確認指示を受信し、上記確認指示を受信した後、上記第２の送信サブモジュールをトリガして動作を実行させるためのトリガサブモジュールを含む。
【００８９】
したがって、登録類のショットメッセージにおける登録サービスを分類して、ユーザが手動で登録する必要があるサービスのみを登録サービスリストに追加してユーザに表示して、ユーザが手動で具体的な登録更新操作を実行するようにする。一方、サーバが直接登録更新を要求することができるサービスについては、サーバがこれらのサービス機関に登録更新要求を送信する。これは、登録サービスリストを簡潔化し、ユーザが手動で登録更新を実行する必要があるサービスを減らすことができ、ユーザ・エクスペリエンスを向上させる。
【００９０】
図６は、一つの例示的な実施例に係るサービス登録更新装置の模式図である。この装置は、クライアント側に適用され、
サービス登録の更新のトリガイベントをモニタリングするモニタリングモジュール２１０と、
サーバに第１のサービス登録更新要求を送信する第１の送信モジュール２１２と、
サーバから、上記クライアントの第１の通信識別子を用いて受信し、且つ上記サーバに同期されたサービス登録メッセージに対応するサービスが記載されている登録サービスリストを受信する受信モジュール２１４と、
上記登録サービスリストに記載されているサービスの供給者に、上記クライアントの第２の通信識別子が含まれている第２のサービス登録更新要求を送信する第２の送信モジュール２１６と、を含む。
【００９１】
本実施例において、ユーザは、通信識別子を交換した後、登録されているサービスを簡単に更新することができ、カスタマー・エクスペリエンスを向上させることができる。
【００９２】
１つの可能な実施形態として、第２の送信モジュール２１６は、表示サブモジュール、受信サブモジュール、及び実行サブモジュールを含んでもよい。
【００９３】
上記表示サブモジュールは、上記登録サービスリストを表示する。
【００９４】
上記受信サブモジュールは、ユーザが入力した実行命令を受信する。
【００９５】
上記実行サブモジュールは、上記受信サブモジュールが上記実行命令を受信した後、上記登録サービスリストに記載されているサービスの供給者に、第２のサービス登録更新要求を送信する。
【００９６】
別の１つの可能な実施形態として、上記装置は、サーバから、サービス登録更新を直接実行可能なサービスについて上記サーバが直接サービス登録更新を実行することを通知するための確認要求通知を受信する通知受信モジュールと、サーバに確認要求通知に対する確認指示を送信する確認送信モジュールと、をさらに含んでもよい。
【００９７】
これらの可能な実施形態において、ユーザは、手動で登録する必要がないサービスについては、サーバにアクセス権限を与えて自動的に登録させることにより、ユーザが通信識別子を交換した後に統括して再登録する手間をさらに省くことができ、カスタマー・エクスペリエンスを大幅に向上させることができる。
【００９８】
第３の可能な実施形態として、上記装置は、第１の通信識別子を用いてメッセージを受信するメッセージ受信モジュールと、メッセージからサービスが記載されているメッセージを選択してサービス登録メッセージとする選択モジュールと、第１の通信識別子を用いて、上記サービス登録メッセージをサーバに同期させる同期モジュールと、をさらに含んでもよい。
【００９９】
図７は、１つの例示的な実施例に係るサーバのブロック図である。図７を参照すると、サーバ１９００は、一つ又は複数のプロセッサを含むプロセスアセンブリ１９２２と、プロセスアセンブリ１９２２により実行可能な命令、例えばアプリケーションプログラムを記憶するためのメモリ１９３２を代表とするメモリ資源と、を含む。メモリ１９３２に記憶されているアプリケーションプログラムは、それぞれが一組の命令に対応する一つ或いは一つ以上のモジュールを含んでもよい。なお、プロセスアセンブリ１９２２は、命令を実行して上記サーバ側の方法を実行するように構成される。
【０１００】
サーバ１９００は、サーバ１９００の電源を管理するように構成される一つ或いは一つ以上の電源アセンブリ１９２６と、サーバ１９００をインターネットに接続するように構成される一つ或いは一つ以上の有線或いは無線ネットワークインタフェイス１９５０と、一つ或いは一つ以上の入出力（Ｉ／Ｏ）インタフェイス１９５８と、一つ或いは一つ以上のキーボード１９５６、及び／あるいは、一つ或いは一つ以上のオペレーティングシステム１９４１とをさらに含んでもよい。サーバ１９００は、メモリ１９３２に記憶されているオペレーティングシステム、例えば、Ｗｉｎｄｏｗｓ ＳｅｒｖｅｒＴＭ，Ｍａｃ ＯＳ ＸＴＭ，ＵｎｉｘＴＭ，ＬｉｎｕｘＴＭ，ＦｒｅｅＢＳＤＴＭなど或いは類似するシステムを操作することができる。
【０１０１】
図８は、１つの例示的な実施例に係るクライアントのブロック図であり、例えば、クライアント８００は、携帯電話、コンピュータ、デジタル放送端末、メッセージ送受信装置、ゲームコンソール、タブレット装置、医療設備、フィットネス装置、ＰＤＡなどである。
【０１０２】
図８を参照すると、クライアント８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ或いは複数のアセンブリを含んでもよい。
【０１０３】
プロセスアセンブリ８０２は、一般的にはクライアント８００の全体の動作を制御するものであり、例えば、表示、電話呼び出し、データ通信、カメラ操作、及び記録操作と関連する動作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含んでプロセスアセンブリ８０２と他のアセンブリの間のインタラクションを容易にしてもよい。例えば、プロセスアセンブリ８０２は、マルチメディアモジュールを含んで、マルチメディアアセンブリ８０８とプロセスアセンブリ８０２の間のインタラクションを容易にしてもよい。
【０１０４】
メモリ８０４は、各種のデータを記憶することによりクライアント８００の動作を支援するように構成される。これらのデータの例は、クライアント８００において動作する任意のアプリケーションプログラム又は方法の命令、連絡対象データ、電話帳データ、メッセージ、画像、ビデオ等を含む。メモリ８０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１０５】
電源アセンブリ８０６は、クライアント８００の各アセンブリに電力を供給する。電源アセンブリ８０６は、電源管理システム、一つ或いは複数の電源、及びクライアント８００のための電力の生成、管理、及び割り当てに関連する他のアセンブリを含んでもよい。
【０１０６】
マルチメディアアセンブリ８０８は、上記クライアント８００とユーザの間に一つの出力インターフェイスを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ８０８は、一つのフロントカメラ、及び／又はリアカメラを含む。クライアント８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１０７】
オーディオアセンブリ８１０は、オーディオ信号を入出力するように構成される。例えば、オーディオアセンブリ８１０は、一つのマイク（ＭＩＣ）を含み、クライアント８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりする。部分実施例において、オーディオアセンブリ８１０は、オーディオ信号を出力するための一つのスピーカーをさらに含む。
【０１０８】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０９】
センサアセンブリ８１４は、クライアント８００に各方面の状態に対する評価を提供するための一つ以上のセンサを含む。例えば、センサアセンブリ８１４は、クライアント８００のＯＮ／ＯＦＦ状態、クライアント８００のディスプレイとキーパッドのようなアセンブリの相対的な位置決めを検出できる。また、センサアセンブリ８１４は、クライアント８００、或いはクライアント８００の一つのアセンブリの位置変更、ユーザとクライアント８００とが接触しているか否か、クライアント８００の方位、又は加速／減速、クライアント８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ画像センサのような光センサを含んでもよい。部分実施例において、当該センサアセンブリ８１４は、加速度センサ、ジャイロスコープセンサ、磁気センサ、圧力センサ、及び温度センサをさらに含んでもよい。
【０１１０】
通信アセンブリ８１６は、クライアント８００と他の機器の間に有線、又は無線形態の通信を提供する。クライアント８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、上記通信アセンブリ８１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０１１１】
例示的な実施例において、クライアント８００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１１２】
例示的な実施例において、命令を含むコンピュータ読取り可能な非一時的な記録媒体、例えば命令を含むメモリ８０４をさらに提供し、クライアント８００のプロセッサ８２０により上記命令を実行して上記クライアント側の方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１１３】
本発明の実施例は、上記サーバと上記クライアントとを含む通信システムを提供する。
【０１１４】
当業者は、明細書に対する理解、及び明細書に記載された発明に対する実践を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、単なる例示的なものであって、本発明の本当の範囲と主旨は、以下の特許請求の範囲によって示される。
【０１１５】
本発明は、上記で記述し、図面で図示した特定の構成に限定されず、その範囲を離脱しない状況で、様々な修正と変更を実現できる。本発明の範囲は、添付される特許請求の範囲のみにより限定される。
【図１】
2016533581.tif 000003
【図２】
2016533581.tif 000004
【図３】
2016533581.tif 000005
【図４】
2016533581.tif 000006
【図５】
2016533581.tif 000007
【図６】
2016533581.tif 000008
【図７】
2016533581.tif 000009
【図８】
2016533581.tif 000010
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
サーバ側に適用されるサービス登録更新方法であって、
クライアントからの第１のサービス登録更新要求を受信するステップと、
前記クライアントの第１の通信識別子が登録されているサービスを取得するステップと、
前記クライアントの第２の通信識別子を用いて、前記サービスの登録情報を更新するステップと、
を含むことを特徴とするサービス登録更新方法。
【請求項２】
前記クライアントの第１の通信識別子が登録されているサービスを取得するステップは、
前記第１の通信識別子を用いて検索することにより、ローカルに記憶され、且つ前記第１の通信識別子に対応する登録サービスリストを取得するステップ、を含み、
前記登録サービスリストには、前記クライアントが前記第１の通信識別子を用いて受信し、且つ前記サーバに同期されたサービス登録メッセージから取得したサービスが含まれている、
ことを特徴とする請求項１に記載のサービス登録更新方法。
【請求項３】
前記クライアントの第２の通信識別子を用いて、前記サービスの登録情報を更新するステップは、
前記登録サービスリストを前記クライアントに送信するステップ、
を含むことを特徴とする請求項２に記載のサービス登録更新方法。
【請求項４】
前記クライアントの第２の通信識別子を用いて、前記サービスの登録情報を更新するステップは、
前記登録サービスリストからサービス登録更新を直接実行可能なサービスを選別するステップと、
前記選別したサービスの供給者に、前記第２の通信識別子が含まれている第２のサービス登録更新要求を送信するステップと、
前記選別したサービスを含まない登録サービスリストを、前記クライアントに送信するステップと、
を含むことを特徴とする請求項２に記載のサービス登録更新方法。
【請求項５】
前記登録サービスリストからサービス登録更新を直接実行可能なサービスを選別するステップは、
前記登録サービスリストにおける一番目のサービスから始めて、前記登録サービスリストにおける各サービスの種類を照会するステップと、
前記種類が「サービス登録更新を直接実行可能」であるサービスを選別するステップと、を含み、
前記種類は、前記クライアントが前記第１の通信識別子を用いて受信し、且つ前記サーバに同期されたサービス登録メッセージからサービスを取得する際、前記クライアントの前記サービス登録メッセージに対する備考情報に基づいて標記したものである、
ことを特徴とする請求項４に記載のサービス登録更新方法。
【請求項６】
前記登録サービスリストからサービス登録更新を直接実行可能なサービスを選別するステップは、
前記登録サービスリストにおける一番目のサービスから始めて、前記登録サービスリストにおける各サービスの供給者を照会するステップと、
サービス登録更新を直接実行可能なリストに属するサービスの供給者に対応するサービスを選別するステップと、
を含むことを特徴とする請求項４に記載のサービス登録更新方法。
【請求項７】
前記クライアントの第２の通信識別子を用いて、前記サービスの登録情報を更新するステップは、
前記クライアントに、前記サービス登録更新を直接実行可能なサービスについてサービス登録更新を実行することを通知するための確認要求通知を送信するステップと、
前記確認要求通知に対する前記クライアントの確認指示を受信するステップと、
前記確認指示を受信した後、前記選別したサービスの供給者に第２のサービス登録更新要求を送信するステップと、
をさらに含むことを特徴とする請求項４に記載のサービス登録更新方法。
【請求項８】
クライアント側に適用されるサービス登録更新方法であって、
サービス登録更新のトリガイベントをモニタリングするステップと、
サーバに第１のサービス登録更新要求を送信するステップと、
前記サーバから、前記クライアントの第１の通信識別子を用いて受信し、且つ前記サーバに同期されたサービス登録メッセージに対応するサービスが記載されている登録サービスリストを受信するステップと、
前記登録サービスリストに記載されているサービスの供給者に、前記クライアントの第２の通信識別子が含まれている第２のサービス登録更新要求を送信するステップと、
を含むことを特徴とするサービス登録更新方法。
【請求項９】
前記登録サービスリストに記載されているサービスの供給者に第２のサービス登録更新要求を送信するステップは、
前記登録サービスリストを表示するステップと、
ユーザが入力した実行命令を受信するステップと、
前記登録サービスリストに記載されているサービスの供給者に第２のサービス登録更新要求を送信するステップと、
を含むことを特徴とする請求項８に記載のサービス登録更新方法。
【請求項１０】
前記サーバから、サービス登録更新を直接実行可能なサービスについて前記サーバがサービス登録更新を実行することを通知するための確認要求通知を受信するステップと、
前記サーバに、前記確認要求通知に対する確認指示を送信するステップと、
をさらに含むことを特徴とする請求項８に記載のサービス登録更新方法。
【請求項１１】
前記第１の通信識別子を用いてメッセージを受信するステップと、
前記メッセージから、サービスが記載されているメッセージを選択して、サービス登録メッセージにするステップと、
前記第１の通信識別子を用いて、前記サービス登録メッセージを前記サーバに同期させるステップと、
をさらに含むことを特徴とする請求項８に記載のサービス登録更新方法。
【請求項１２】
サーバ側に適用されるサービス登録更新装置であって、
クライアントからの第１のサービス登録更新要求を受信する受信モジュールと、
前記クライアントの第１の通信識別子が登録されているサービスを取得する取得モジュールと、
前記クライアントの第２の通信識別子を用いて、前記サービスの登録情報を更新する更新モジュールと、
を含むことを特徴とするサービス登録更新装置。
【請求項１３】
前記取得モジュールは、前記第１の通信識別子を用いて検索することにより、ローカルに記憶され、且つ前記第１の通信識別子に対応する登録サービスリストを取得し、
前記登録サービスリストには、前記クライアントが前記第１の通信識別子を用いて受信し、且つ前記サーバに同期されたサービス登録メッセージから取得したサービスが含まれている、
ことを特徴とする請求項１２に記載のサービス登録更新装置。
【請求項１４】
前記更新モジュールは、前記登録サービスリストを前記クライアントに送信する、ことを特徴とする請求項１３に記載のサービス登録更新装置。
【請求項１５】
前記更新モジュールは、
前記登録サービスリストからサービス登録更新を直接実行可能なサービスを選別する選別サブモジュールと、
前記選別したサービスの供給者に前記第２の通信識別子が含まれている第２のサービス登録更新要求を送信する第１の送信サブモジュールと、
前記選別したサービスを含まない登録サービスリストを前記クライアントに送信する第２の送信サブモジュールと、
を含むことを特徴とする請求項１３に記載のサービス登録更新装置。
【請求項１６】
前記選別サブモジュールは、前記登録サービスリストにおける一番目のサービスから始めて、前記登録サービスリストにおける各サービスの種類を照会し、前記種類が「サービス登録更新を直接実行可能」であるサービスを選別し、
前記種類は、前記クライアントが前記第１の通信識別子を用いて受信し、且つ前記サーバに同期されたサービス登録メッセージからサービスを取得する際、前記クライアントの前記サービス登録メッセージに対する備考情報に基づいて標記したものである、
ことを特徴とする請求項１５に記載のサービス登録更新装置。
【請求項１７】
前記選別サブモジュールは、前記登録サービスリストにおける一番目のサービスから始めて、前記登録サービスリストにおける各サービスの供給者を照会し、サービス登録更新を直接実行可能なリストに属するサービスの供給者に対応するサービスを選別する、ことを特徴とする請求項１５に記載のサービス登録更新装置。
【請求項１８】
前記更新モジュールは、
前記クライアントに確認要求通知を送信し、前記確認要求通知に対する前記クライアントの確認指示を受信し、前記確認指示を受信した後、前記第２の送信サブモジュールが動作を行うようにトリガするトリガサブモジュール、をさらに含み、
前記確認要求通知は、前記サービス登録更新を直接実行可能なサービスについてサービス登録更新を実行することを通知するためのものである、
ことを特徴とする請求項１５に記載のサービス登録更新装置。
【請求項１９】
クライアント側に適用されるサービス登録更新装置であって、
サービス登録更新のトリガイベントをモニタリングするモニタリングモジュールと、
サーバに第１のサービス登録更新要求を送信する第１の送信モジュールと、
前記サーバから、前記クライアントの第１の通信識別子を用いて受信し、且つ前記サーバに同期されたサービス登録メッセージに対応するサービスが記載されている登録サービスリストを受信する受信モジュールと、
前記登録サービスリストに記載されているサービスの供給者に、前記クライアントの第２の通信識別子が含まれている第２のサービス登録更新要求を送信する第２の送信モジュールと、
を含むことを特徴とするサービス登録更新装置。
【請求項２０】
前記第２の送信モジュールは、
前記登録サービスリストを表示する表示サブモジュールと、
ユーザが入力した実行命令を受信する受信サブモジュールと、
前記受信サブモジュールが前記実行命令を受信した後、前記登録サービスリストに記載されているサービスの供給者に第２のサービス登録更新要求を送信する実行サブモジュールと、
を含むことを特徴とする請求項１９に記載のサービス登録更新装置。
【請求項２１】
前記サーバから、サービス登録更新を直接実行可能なサービスについて前記サーバがサービス登録更新を実行することを通知するための確認要求通知を受信する通知受信モジュールと、
前記サーバに、前記確認要求通知に対する確認指示を送信する確認送信モジュールと、
をさらに含むことを特徴とする請求項１９に記載のサービス登録更新装置。
【請求項２２】
前記第１の通信識別子を用いてメッセージを受信するメッセージ受信モジュールと、
前記メッセージから、サービスが記載されているメッセージを選択して、サービス登録メッセージにする選択モジュールと、
前記第１の通信識別子を用いて、前記サービス登録メッセージを前記サーバに同期させる同期モジュールと、
をさらに含むことを特徴とする請求項１９に記載のサービス登録更新装置。
【請求項２３】
プロセッサと、
前記プロセッサによって実行可能な命令を記憶するためのメモリと、を含み、
前記プロセッサは、
クライアントからの第１のサービス登録更新要求を受信し、
前記クライアントの第１の通信識別子が登録されているサービスを取得し、
前記クライアントの第２の通信識別子を用いて、前記サービスの登録情報を更新するように構成される、
ことを特徴とするサーバ。
【請求項２４】
プロセッサと、
前記プロセッサによって実行可能な命令を記憶するためのメモリと、を含み、
前記プロセッサは、
サービス登録更新のトリガイベントをモニタリングし、
サーバに第１のサービス登録更新要求を送信し、
前記サーバから、前記クライアントの第１の通信識別子を用いて受信し、且つ前記サーバに同期されたサービス登録メッセージに対応するサービスが記載されている登録サービスリストを受信し、
前記登録サービスリストに記載されているサービスの供給者に、前記クライアントの第２の通信識別子が含まれている第２のサービス登録更新要求を送信するように構成される、
ことを特徴とするクライアント。
【請求項２５】
プロセッサに実行されることにより、請求項１から請求項１１のいずれか１項に記載のサービス登録更新方法を実現することを特徴とするプログラム。
【請求項２６】
請求項２５に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号がＣＮ２０１４１０３４０３１８．４であって、出願日が２０１４年７月１６日である中国特許出願に基づき優先権を主張し、当該中国特許出願のすべての内容を本願に援用する。
【０００２】
本発明は、インターネット分野に関し、特に、サービス登録更新方法、装置、サーバ、クライアント、プログラム及び記録媒体に関する。
【背景技術】
【０００３】
現在、ユーザがウェブサイトまたは幾つかの機関から提供されるサービスを使用するとき、一般的に、ユーザは、例えば携帯電話番号などの通信識別子を用いて登録することを要求される。使用するサービスが多くなるにつれて、これらのサービス機関の名称を記憶することが困難になっている。特に、ユーザが新たな通信識別子を交換した後、新たな通信識別子を用いて一つずつ再登録する必要があるので、操作が非常に面倒である。
【発明の概要】
【０００４】
本発明は、関連技術に存在する問題を解決するために、サービス登録更新方法、装置、サーバ、クライアント、プログラム及び記録媒体を提供する。
【０００５】
本発明の実施例の第１の態様によると、サーバ側に適用されるサービス登録更新方法を提供する。このサービス登録更新方法は、クライアントからの第１のサービス登録更新要求を受信するステップと、前記クライアントの第１の通信識別子が登録されているサービスを取得するステップと、前記クライアントの第２の通信識別子を用いて、前記サービスの登録情報を更新するステップと、を含む。
【０００６】
可能な実施形態として、前記クライアントの第１の通信識別子が登録されているサービスを取得するステップは、前記第１の通信識別子を用いて検索することにより、ローカルに記憶され、且つ前記第１の通信識別子に対応する登録サービスリストを取得するステップを含み、前記登録サービスリストには、前記クライアントが前記第１の通信識別子を用いて受信し、且つ前記サーバに同期されたサービス登録メッセージから取得したサービスが含まれていてもよい。
【０００７】
前記実施形態を基礎として、さらに、前記クライアントの第２の通信識別子を用いて、前記サービスの登録情報を更新するステップは、前記登録サービスリストを前記クライアントに送信するステップを含んでもよい。
【０００８】
前記実施形態を基礎として、さらに、前記クライアントの第２の通信識別子を用いて、前記サービスの登録情報を更新するステップは、前記登録サービスリストからサービス登録更新を直接実行可能なサービスを選別するステップと、前記選別したサービスの供給者に、前記第２の通信識別子が含まれている第２のサービス登録更新要求を送信するステップと、前記選別したサービスを含まない登録サービスリストを前記クライアントに送信するステップと、をさらに含んでもよい。
【０００９】
さらに、前記登録サービスリストからサービス登録更新を直接実行可能なサービスを選別するステップは、前記登録サービスリストにおける一番目のサービスから始めて、前記登録サービスリストにおける各サービスの種類を照会するステップと、前記種類が「サービス登録更新を直接実行可能」であるサービスを選別するステップと、を含んでもよく、前記種類は、前記クライアントが前記第１の通信識別子を用いて受信し、且つ前記サーバに同期されたサービス登録メッセージからサービスを取得する際、前記クライアントの前記サービス登録メッセージに対する備考情報に基づいて標記したものである。
【００１０】
さらに、別の可能な実施形態として、前記登録サービスリストからサービス登録更新を直接実行可能なサービスを選別するステップは、前記登録サービスリストにおける一番目のサービスから始めて、前記登録サービスリストにおける各サービスの供給者を照会するステップと、サービス登録更新を直接実行可能なリストに属するサービスの供給者に対応するサービスを選別するステップと、を含んでもよい。
【００１１】
さらに、第３の可能な実施形態として、前記クライアントの第２の通信識別子を用いて、前記サービスの登録情報を更新するステップは、前記クライアントに、前記サービス登録更新を直接実行可能なサービスについてサービス登録更新を実行することを通知するための確認要求通知を送信するステップと、前記確認要求通知に対する前記クライアントの確認指示を受信するステップと、前記確認指示を受信した後、選別した前記サービスの供給者に第２のサービス登録更新要求を送信するステップと、をさらに含んでもよい。
【００１２】
本発明の実施例の第２の態様によると、クライアント側に適用されるサービス登録更新方法を提供する。このサービス登録更新方法は、サービス登録更新のトリガイベントをモニタリングするステップと、サーバに第１のサービス登録更新要求を送信するステップと、前記サーバから、前記クライアントの第１の通信識別子を用いて受信し、且つ前記サーバに同期されたサービス登録メッセージに対応するサービスが記載されている登録サービスリストを受信するステップと、前記登録サービスリストに記載されているサービスの供給者に、前記クライアントの第２の通信識別子が含まれている第２のサービス登録更新要求を送信するステップと、を含む。
【００１３】
可能な実施形態として、前記登録サービスリストに記載されているサービスの供給者に第２のサービス登録更新要求を送信するステップは、前記登録サービスリストを表示するステップと、ユーザが入力した実行命令を受信するステップと、前記登録サービスリストに記載されているサービスの供給者に第２のサービス登録更新要求を送信するステップと、を含んでもよい。
【００１４】
別の可能な実施形態として、前記方法は、前記サーバから、サービス登録更新を直接実行可能なサービスについて前記サーバがサービス登録更新を実行することを通知するための確認要求通知を受信するステップと、前記サーバに、前記確認要求通知に対する確認指示を送信するステップと、をさらに含んでもよい。
【００１５】
第３の可能な実施形態として、前記方法は、前記第１の通信識別子を用いてメッセージを受信するステップと、前記メッセージから、サービスが記載されているメッセージを選択して、サービス登録メッセージにするステップと、前記第１の通信識別子を用いて、前記サービス登録メッセージを前記サーバに同期させるステップと、をさらに含んでもよい。
【００１６】
本発明の実施例の第３の態様によると、サーバ側に適用されるサービス登録更新装置を提供する。このサービス登録更新装置は、クライアントからの第１のサービス登録更新要求を受信する受信モジュールと、前記クライアントの第１の通信識別子が登録されているサービスを取得する取得モジュールと、前記クライアントの第２の通信識別子を用いて、前記サービスの登録情報を更新する更新モジュールとを含む。
【００１７】
可能な実施形態として、前記取得モジュールは、前記第１の通信識別子を用いて検索することにより、ローカルに記憶され、且つ前記第１の通信識別子に対応する登録サービスリストを取得してもよく、前記登録サービスリストには、前記クライアントが前記第１の通信識別子を用いて受信し、且つ前記サーバに同期されたサービス登録メッセージから取得したサービスが含まれている。
【００１８】
前記実施形態を基礎として、さらに、前記更新モジュールは、前記登録サービスリストを前記クライアントに送信してもよい。
【００１９】
さらに、別の可能な実施形態として、前記更新モジュールは、前記登録サービスリストからサービス登録更新を直接実行可能なサービスを選別する選別サブモジュールと、前記選別したサービスの供給者に、前記第２の通信識別子が含まれている第２のサービス登録更新要求を送信する第１の送信サブモジュールと、前記選別したサービスを含まない登録サービスリストを前記クライアントに送信する第２の送信サブモジュールと、を含んでもよい。
【００２０】
さらに、前記選別サブモジュールは、前記登録サービスリストにおける一番目のサービスから始めて、前記登録サービスリストにおける各サービスの種類を照会し、前記種類が「サービス登録更新を直接実行可能」であるサービスを選別してもよく、前記種類は、前記クライアントが前記第１の通信識別子を用いて受信し、且つ前記サーバに同期されたサービス登録メッセージからサービスを取得する際、前記クライアントの前記サービス登録メッセージに対する備考情報に基づいて標記したものである。
【００２１】
さらに、別の実施形態として、前記選別サブモジュールは、前記登録サービスリストにおける一番目のサービスから始めて、前記登録サービスリストにおける各サービスの供給者を照会し、サービス登録更新を直接実行可能なリストに属するサービスの供給者に対応するサービスを選別してもよい。
【００２２】
さらに、第３の可能な実施形態として、前記更新モジュールは、前記クライアントに確認要求通知を送信し、前記確認要求通知に対する前記クライアントの確認指示を受信し、前記確認指示を受信した後、前記第２の送信サブモジュールが動作を行うようにトリガするトリガサブモジュールをさらに含んでもよく、前記確認要求通知は、前記サービス登録更新を直接実行可能なサービスについてサービス登録更新を実行することを通知するためのものである。
【００２３】
本発明の実施例の第４の態様によると、クライアント側に適用されるサービス登録更新装置を提供する。このサービス登録更新装置は、サービス登録更新のトリガイベントをモニタリングするモニタリングモジュールと、サーバに第１のサービス登録更新要求を送信する第１の送信モジュールと、前記サーバから、前記クライアントの第１の通信識別子を用いて受信し、且つ前記サーバに同期されたサービス登録メッセージに対応するサービスが記載されている登録サービスリストを受信する受信モジュールと、前記登録サービスリストに記載されているサービスの供給者に、前記クライアントの第２の通信識別子が含まれている第２のサービス登録更新要求を送信する第２の送信モジュールと、を含む。
【００２４】
可能な実施形態として、前記第２の送信モジュールは、前記登録サービスリストを表示する表示サブモジュールと、ユーザが入力した実行命令を受信する受信サブモジュールと、前記受信サブモジュールが前記実行命令を受信した後、前記登録サービスリストに記載されているサービスの供給者に第２のサービス登録更新要求を送信する実行サブモジュールと、を含んでもよい。
【００２５】
別の可能な実施形態として、前記装置は、前記サーバから、サービス登録更新を直接実行可能なサービスについて前記サーバがサービス登録更新を実行することを通知するための確認要求通知を受信する通知受信モジュールと、前記サーバに、前記確認要求通知に対する確認指示を送信する確認送信モジュールと、をさらに含んでもよい。
【００２６】
第３の可能な実施形態として、前記装置は、前記第１の通信識別子を用いてメッセージを受信するメッセージ受信モジュールと、前記メッセージから、サービスが記載されているメッセージを選択して、サービス登録メッセージにする選択モジュールと、前記第１の通信識別子を用いて、前記サービス登録メッセージを前記サーバに同期させる同期モジュールと、をさらに含んでもよい。
【００２７】
本発明の実施例の第５の態様によると、サーバを提供する。このサーバは、プロセッサと、前記プロセッサによって実行可能な命令を記憶するためのメモリと、を含む。前記プロセッサは、クライアントからの第１のサービス登録更新要求を受信し、前記クライアントの第１の通信識別子が登録されているサービスを取得し、前記クライアントの第２の通信識別子を用いて、前記サービスの登録情報を更新するように構成される。
【００２８】
本発明の実施例の第６の態様によると、クライアントを提供する。このクライアントは、プロセッサと、前記プロセッサによって実行可能な命令を記憶するためのメモリと、を含む。前記プロセッサは、サービス登録更新のトリガイベントをモニタリングし、サーバに第１のサービス登録更新要求を送信し、前記サーバから、前記クライアントの第１の通信識別子を用いて受信し、且つ前記サーバに同期されたサービス登録メッセージに対応するサービスが記載されている登録サービスリストを受信し、前記登録サービスリストに記載されているサービスの供給者に、前記クライアントの第２の通信識別子が含まれている第２のサービス登録更新要求を送信するように構成される。
【００２９】
本発明の実施例の第７の態様によると、プログラムを提供し、当該プログラムは、プロセッサに実行されることにより、上記サービス登録更新方法を実現する。
【００３０】
本発明の実施例の第８の態様によると、記録媒体を提供し、当該記録媒体には、上記プログラムが記録されている。
【００３１】
本発明の実施例に係る技術案は、以下の有益な効果を有する。ユーザは、通信識別子を交換した後、登録されているサービスを簡単に更新することができ、カスタマー・エクスペリエンスを向上させることができる。
【００３２】
以上の一般的な記述と、以下の詳細の記述は、単なる例示的なものであって、本発明を限定するものではないことを理解すべきである。
【図面の簡単な説明】
【００３３】
ここでの図面は、明細書に組み入れて本明細書の一部を構成し、本発明に該当する実施例を例示するとともに、明細書とともに本発明の原理を解釈するために用いられる。
【００３４】
【図１】一つの例示的な実施例に係る登録更新方法のフローチャートである。
【図２】一つの例示的な実施例に係る登録更新方法のフローチャートである。
【図３】一つの例示的な実施例に係る登録更新方法のフローチャートである。
【図４】一つの例示的な実施例に係る登録更新方法のフローチャートである。
【図５】一つの例示的な実施例に係る登録更新装置の模式図である。
【図６】一つの例示的な実施例に係る登録更新装置の模式図である。
【図７】一つの例示的な実施例に係るサーバの模式図である。
【図８】一つの例示的な実施例に係るクライアントの模式図である。
【発明を実施するための形態】
【００３５】
ここで、図面に示される例示的な実施例について詳細に説明する。以下、図面に関して説明する際に、特段の説明がない限り、異なる図面での同一符号は、同一または類似する要素を示す。以下の例示的な実施例で記載する実施形態は、本発明に合致する全ての実施形態を代表するわけではない。むしろ、それらは、添付される特許請求の範囲で詳細に記載される本発明の一部の態様に合致する装置、及び方法の例に過ぎない。
【００３６】
図１は、一つの例示的な実施例に係る登録更新方法のフローチャートである。この方法は、サーバ側に適用され、下記のステップを含む。
【００３７】
ステップＳ１１０において、クライアントからの第１のサービス登録更新要求を受信する。
【００３８】
ステップＳ１１２において、クライアントの第１の通信識別子が登録されているサービスを取得する。
【００３９】
ステップＳ１１４において、クライアントの第２の通信識別子を用いてサービスの登録情報を更新する。
【００４０】
例えば、第１の通信識別子は、ユーザの以前の携帯電話番号であり、第２の通信識別子は、ユーザの新たな携帯電話番号であってもよい。クライアントは、ユーザの携帯電話であってもよく、ＰＣやタブレットＰＣなどのスマート製品であってもよい。本実施例において、ユーザは、通信識別子を交換した後、登録されているサービスを簡単に更新することができ、カスタマー・エクスペリエンスを向上させることができる。
【００４１】
１つの可能な実施形態として、ステップＳ１１２は、第１の通信識別子を用いて検索することにより、ローカルに記憶され、且つ第１の通信識別子に対応する登録サービスリストを取得するステップを含む。登録サービスリストには、クライアントが第１の通信識別子を用いて受信し、且つサーバに同期されたサービス登録メッセージから取得したサービスが含まれている。
【００４２】
現在、ユーザは、サービスを使用する際、一般的に携帯電話番号を用いてサービス供給者に登録する必要があり、サービス供給者は、一般的にユーザにサービス登録メッセージを提供する。上記メッセージには、認証番号が含まれている可能性もあり、単に登録成功を通知する可能性もあり、その具体的な形態は限定されない。例えば、上記サービス登録メッセージは、サービス登録ショットメッセージである。
【００４３】
図２は、一つの例示的な実施例に係る登録更新方法のフローチャートである。この方法は、サーバ側に適用され、下記のステップを含む。
【００４４】
ステップＳ２１０において、クライアントからの第１のサービス登録更新要求を受信する。
【００４５】
ステップＳ２１２において、第１の通信識別子を用いて検索することにより、ローカルに記憶され、且つ第１の通信識別子に対応する登録サービスリストを取得する。上記登録サービスリストには、上記クライアントが上記第１の通信識別子を用いて受信し、且つ上記サーバに同期されたサービス登録メッセージから取得したサービスが含まれている。
【００４６】
ユーザが通信識別子を用いていくつかのサービスに登録し、そのサービスを使用した後、ユーザが使用しているクライアントは、受信した認証番号、情報通知などのメッセージを解析することができる。これらのメッセージは、ユーザの通信識別子がいくつかの機関のサービスに関連し、さらに登録ＩＤとして使用されることを表すため、サービス登録メッセージとして特定することができる。ユーザが使用しているクライアントは、サービス登録メッセージをサーバに同期させることができ、サーバは、サービス登録メッセージからサービスを取得し、登録サービスリストに追加する。
【００４７】
ステップＳ２１４において、上記登録サービスリストを上記クライアントに送信する。
【００４８】
本実施例において、クライアントからサービス登録更新の要求がある場合、サーバは、クライアントが必要とする登録サービスリストを整理してクライアントに送信し、クライアントがサーバから提供された登録サービスリストに基づいてサービス登録更新を実行するようにする。これにより、ユーザ自身がサービス登録更新を実行する必要があるサービスを自分で探して整理する手順を省略し、ユーザの操作を簡素化した。
【００４９】
図３は、一つの例示的な実施例に係る登録更新方法のフローチャートである。この方法は、サーバ側に適用され、下記のステップを含む。
【００５０】
ステップＳ３１０において、クライアントからの第１のサービス登録更新要求を受信する。
【００５１】
ステップＳ３１２において、第１の通信識別子を用いて検索することにより、ローカルに記憶され、且つ第１の通信識別子に対応する登録サービスリストを取得する。上記登録サービスリストには、上記クライアントが上記第１の通信識別子を用いて受信し、且つ上記サーバに同期されたサービス登録メッセージから取得したサービスが含まれている。
【００５２】
ユーザが通信識別子を用いていくつかのサービスに登録し、そのサービスを使用した後、ユーザが使用しているクライアントは、受信した認証番号、情報通知などのメッセージを解析することができる。これらのメッセージは、ユーザの通信識別子がいくつかの機関のサービスに関連し、さらに登録ＩＤとして使用されることを表すため、サービス登録メッセージとして特定することができる。ユーザが使用しているクライアントは、サービス登録メッセージをサーバに同期させることができ、サーバは、サービス登録メッセージからサービスを取得し、登録サービスリストに追加する。
【００５３】
ステップＳ３１４において、上記登録サービスリストからサービス登録更新を直接実行可能なサービスを選別する。
【００５４】
１つの可能な実施形態として、上記登録サービスリストからサービス登録更新を直接実行可能なサービスを選別するステップは、下記のサブステップを含む。
【００５５】
サブステップ１において、上記登録サービスリストにおける一番目のサービスから始めて上記登録サービスリストにおける各サービスの種類を照会する。
【００５６】
サブステップ２において、上記種類が「サービス登録更新を直接実行可能」であるサービスを選別する。
【００５７】
サーバは、上記クライアントが上記第１の通信識別子を用いて受信し、且つサーバに同期されたサービス登録メッセージからサービスを取得する際、上記クライアントが上記サービス登録メッセージに対する備考情報に基づいて、上記種類を標記する。例えば、あるサービス登録メッセージについて、クライアントの備考情報が「アリペイ（Ａｌｉｐａｙ）」である場合、財務に関連する個人のプライバシー情報であるので、当該サービス登録メッセージに対して「サービス登録更新を直接実行不可能」と標記することができる。すなわち、ユーザ自身がサービス登録更新を行う必要がある。また、例えば、あるサービス登録メッセージについて、クライアントの備考情報が「一般的な情報検索機関」である場合、プライバシー情報に関連しないので、当該サービス登録メッセージに対して「サービス登録更新を直接実行可能」と標記することができる。すなわち、サーバは、ユーザの代わりに直接サービス登録更新を行うことができる。どのような備考情報に基づいてどのようなタイプを標記できるかそのルールについては、予め設定することができる。
【００５８】
別の１つの可能な実施形態として、上記登録サービスリストからサービス登録更新を直接実行可能なサービスを選別するステップは、下記のサブステップを含む。
【００５９】
サブステップ１’において、上記登録サービスリストにおける一番目のサービスから始めて上記登録サービスリストにおける各サービスの供給者を照会する。
【００６０】
サブステップ２’において、サービス登録更新を直接実行可能なリストに属するサービスの供給者に対応するサービスを選別する。
【００６１】
この場合、クライアントは、サービス登録メッセージの同期時に、備考情報を作成しなくてもよい。クライアントがサービス登録更新を実行する必要があるとき、サーバは、各サービスの供給者を自身で解釈し、予め設定されたサービス登録更新を直接実行可能なリストから検索する。あるサービスの供給者が上記リストに属している場合、このサービスがサービス登録更新を直接実行可能なサービスであることを表す。つまり、ユーザ自身がサービス登録更新を実行する必要がないことを表す。
【００６２】
ステップＳ３１６において、上記選別されたサービスの供給者に上記第２の通信識別子が含まれている第２のサービス登録更新要求を送信する。
【００６３】
ステップＳ３１８において、上記選別されたサービスを含まない登録サービスリストを上記クライアントに送信する。
【００６４】
ステップＳ３１８において、１つの可能な実施形態として、まずサービス登録更新を直接実行可能なサービスについてサーバが直接サービス登録更新を実行することを通知するための確認要求通知をクライアントに送信して、確認要求通知に対するクライアントの確認指示を受信した後、上記選別したサービスの供給者に第２のサービス登録更新要求を送信するステップを行ってもよい。
【００６５】
本実施例において、クライアントからサービス登録更新の要求がある場合、サービスの種類を分類する。一部のサービスについては、サーバが直接サービス登録更新を実行し、他の一部のサービスは、登録サービスリストをクライアントに送信する。したがって、クライアントは、サーバから提供された登録サービスリストに基づいてサービス登録更新を実行することにより、ユーザがサービス登録更新を実行する必要があるサービスを直接探して整理する手順を省略することができるだけではなく、一部のサービスについては、直接サーバにサービス登録更新を行ってもらうことで、ユーザの操作を簡素化することができる。
【００６６】
図４は、一つの例示的な実施例に係る登録更新方法のフローチャートである。この方法は、クライアント側に適用され、下記のステップを含む。
【００６７】
ステップＳ４１０において、サービス登録更新のトリガイベントをモニタリングする。
【００６８】
ステップＳ４１２において、サーバに第１のサービス登録更新要求を送信する。
【００６９】
ステップＳ４１４において、上記サーバからの登録サービスリストを受信する。
【００７０】
ここで、登録サービスリストには、上記クライアントの第１の通信識別子を用いて受信し、且つ上記サーバに同期されたサービス登録メッセージに対応するサービスが含まれている。
【００７１】
ステップＳ４１６において、上記登録サービスリストに記載されているサービスの供給者に、上記クライアントの第２の通信識別子が含まれている第２のサービス登録更新要求を送信する。
【００７２】
例えば、第１の通信識別子は、ユーザの以前の携帯電話番号であり、第２の通信識別子は、ユーザの新たな携帯電話番号であってもよい。クライアントは、ユーザの携帯電話であってもよく、ＰＣやタブレットＰＣなどのスマート製品であってもよい。本実施例において、ユーザは、通信識別子を交換した後、登録されているサービスを簡単に更新することができ、カスタマー・エクスペリエンスを向上させることができる。
【００７３】
１つの可能な実施形態として、登録サービスリストに記載されているサービスの供給者に第２のサービス登録更新要求を送信する際、ユーザに登録サービスリストを表示し、ユーザが入力した実行命令を受信することができる。ユーザは、表示された登録サービスリストからサービス登録更新を行う必要があるサービスを選択することができる。上記実行命令を受信した後、登録サービスリストに記載されているサービスの供給者に第２のサービス登録更新要求を送信する。
【００７４】
本実施例において、ユーザは、クライアントが受信した登録サービスリストから登録更新が必要なサービスを迅速かつ容易に確認することができ、ショットメッセージリストを一つずつ探す必要がないため、ユーザ・エクスペリエンスを向上させる。例えば、ユーザが通信識別子を交換した後、以前の通信識別子で登録したサービスを統括して簡単に再登録することができるので、ユーザ・エクスペリエンスを向上させる。
【００７５】
１つの可能な実施形態として、本実施例では、サーバからサービス登録更新を直接実行可能なサービスについて上記サーバが直接サービス登録更新を実行することを通知するための確認要求通知を受信するステップと、上記サーバに上記確認要求通知に対する確認指示を送信するステップとを含んでもよい。
【００７６】
本実施例において、ユーザは、手動で登録する必要がないサービスについて、サーバにアクセス権限を与えて自動的に登録させることにより、ユーザが通信識別子を交換した後に再登録する手間をさらに省くことができ、カスタマー・エクスペリエンスを大幅に向上させることができる。
【００７７】
１つの可能な実施形態として、本方法は、第１の通信識別子を用いてメッセージを受信するステップと、メッセージからサービスが記載されているメッセージを選択して、サービス登録メッセージにするステップと、第１の通信識別子を用いてサービス登録メッセージをサーバに同期させるステップとをさらに含んでもよい。
【００７８】
図５は、別の例示的な実施例に係るサービス登録更新装置の模式図である。この装置は、サーバ側に適用され、
クライアントからの第１のサービス登録更新要求を受信する受信モジュール１１０と、
クライアントの第１の通信識別子が登録されているサービスを取得する取得モジュール１１２と、
クライアントの第２の通信識別子を用いてサービスの登録情報を更新する更新モジュール１１４と、を含む。
【００７９】
例えば、第１の通信識別子は、ユーザの以前の携帯電話番号であり、第２の通信識別子は、ユーザの新たな携帯電話番号であってもよい。クライアントは、ユーザの携帯電話であってもよく、ＰＣやタブレットＰＣなどのスマート製品であってもよい。本実施例において、ユーザは、通信識別子を交換した後、登録されているサービスを簡単に更新することができ、カスタマー・エクスペリエンスを向上させることができる。
【００８０】
１つの可能な実施形態として、取得モジュール１１２は、上記第１の通信識別子を用いて検索することにより、ローカルに記憶され、且つ上記第１の通信識別子に対応する登録サービスリストを取得する。上記登録サービスリストには、上記クライアントが上記第１の通信識別子を用いて受信し、且つ上記サーバに同期されたサービス登録メッセージから取得したサービスが含まれている。
【００８１】
これを基礎として、更新モジュール１１４は、登録サービスリストをクライアントに送信することができる。
【００８２】
したがって、クライアントからサービス登録更新の要求がある場合、サーバは、クライアントが必要とする登録サービスリストを整理してクライアントに送信し、クライアントがサーバから提供された登録サービスリストに基づいてサービス登録更新を実行するようにする。これにより、ユーザ自身がサービス登録更新を実行する必要があるサービスを探して整理する手順を省略し、ユーザの操作を簡素化した。例えば、ユーザは、通信識別子を交換した後、通信識別子で登録したサービスを統括して簡単に再登録することができ、ユーザ・エクスペリエンスを向上させる。
【００８３】
１つの可能な実施形態として、取得モジュール１１２は、上記第１の通信識別子を用いて検索することにより、ローカルに記憶され、且つ上記第１の通信識別子に対応する登録サービスリストを取得してもよい。上記登録サービスリストには、上記クライアントが上記第１の通信識別子を用いて受信し、且つ上記サーバに同期されたサービス登録メッセージから取得したサービスが含まれている。
【００８４】
これを基礎として、更新モジュール１１４は、選別サブモジュール、第１の送信サブモジュール、及び第２の送信サブモジュールを含んでもよい。
【００８５】
上記選別サブモジュールは、上記登録サービスリストからサービス登録更新を直接実行可能なサービスを選別する。
【００８６】
上記第１の送信サブモジュールは、上記選別したサービスの供給者に、上記第２の通信識別子が含まれている第２のサービス登録更新要求を送信する。
【００８７】
上記第２の送信サブモジュールは、上記選別したサービスを含まない登録サービスリストを上記クライアントに送信する。
【００８８】
さらに、上記選別サブモジュールは、上記登録サービスリストにおける一番目のサービスから始めて、上記登録サービスリストにおける各サービスの種類を照会し、上記種類が「サービス登録更新を直接実行可能」であるサービスを選別する。
【００８９】
または、さらに、上記選別サブモジュールは、上記登録サービスリストにおける一番目のサービスから始めて、上記登録サービスリストにおける各サービスの供給者を照会し、サービス登録更新を直接実行可能なリストに属するサービスの供給者に対応するサービスを選別する。
【００９０】
または、さらに、上記更新モジュールは、サービス登録更新を直接実行可能なサービスについてサーバが直接サービス登録更新を実行することを通知するための確認要求通知を上記クライアントに送信し、上記確認要求通知に対する上記クライアントの確認指示を受信し、上記確認指示を受信した後、上記第２の送信サブモジュールをトリガして動作を実行させるためのトリガサブモジュールを含む。
【００９１】
したがって、登録類のショットメッセージにおける登録サービスを分類して、ユーザが手動で登録する必要があるサービスのみを登録サービスリストに追加してユーザに表示して、ユーザが手動で具体的な登録更新操作を実行するようにする。一方、サーバが直接登録更新を要求することができるサービスについては、サーバがこれらのサービス機関に登録更新要求を送信する。これは、登録サービスリストを簡潔化し、ユーザが手動で登録更新を実行する必要があるサービスを減らすことができ、ユーザ・エクスペリエンスを向上させる。
【００９２】
図６は、一つの例示的な実施例に係るサービス登録更新装置の模式図である。この装置は、クライアント側に適用され、
サービス登録の更新のトリガイベントをモニタリングするモニタリングモジュール２１０と、
サーバに第１のサービス登録更新要求を送信する第１の送信モジュール２１２と、
サーバから、上記クライアントの第１の通信識別子を用いて受信し、且つ上記サーバに同期されたサービス登録メッセージに対応するサービスが記載されている登録サービスリストを受信する受信モジュール２１４と、
上記登録サービスリストに記載されているサービスの供給者に、上記クライアントの第２の通信識別子が含まれている第２のサービス登録更新要求を送信する第２の送信モジュール２１６と、を含む。
【００９３】
本実施例において、ユーザは、通信識別子を交換した後、登録されているサービスを簡単に更新することができ、カスタマー・エクスペリエンスを向上させることができる。
【００９４】
１つの可能な実施形態として、第２の送信モジュール２１６は、表示サブモジュール、受信サブモジュール、及び実行サブモジュールを含んでもよい。
【００９５】
上記表示サブモジュールは、上記登録サービスリストを表示する。
【００９６】
上記受信サブモジュールは、ユーザが入力した実行命令を受信する。
【００９７】
上記実行サブモジュールは、上記受信サブモジュールが上記実行命令を受信した後、上記登録サービスリストに記載されているサービスの供給者に、第２のサービス登録更新要求を送信する。
【００９８】
別の１つの可能な実施形態として、上記装置は、サーバから、サービス登録更新を直接実行可能なサービスについて上記サーバが直接サービス登録更新を実行することを通知するための確認要求通知を受信する通知受信モジュールと、サーバに確認要求通知に対する確認指示を送信する確認送信モジュールと、をさらに含んでもよい。
【００９９】
これらの可能な実施形態において、ユーザは、手動で登録する必要がないサービスについては、サーバにアクセス権限を与えて自動的に登録させることにより、ユーザが通信識別子を交換した後に統括して再登録する手間をさらに省くことができ、カスタマー・エクスペリエンスを大幅に向上させることができる。
【０１００】
第３の可能な実施形態として、上記装置は、第１の通信識別子を用いてメッセージを受信するメッセージ受信モジュールと、メッセージからサービスが記載されているメッセージを選択してサービス登録メッセージとする選択モジュールと、第１の通信識別子を用いて、上記サービス登録メッセージをサーバに同期させる同期モジュールと、をさらに含んでもよい。
【０１０１】
図７は、１つの例示的な実施例に係るサーバのブロック図である。図７を参照すると、サーバ１９００は、一つ又は複数のプロセッサを含むプロセスアセンブリ１９２２と、プロセスアセンブリ１９２２により実行可能な命令、例えばアプリケーションプログラムを記憶するためのメモリ１９３２を代表とするメモリ資源と、を含む。メモリ１９３２に記憶されているアプリケーションプログラムは、それぞれが一組の命令に対応する一つ或いは一つ以上のモジュールを含んでもよい。なお、プロセスアセンブリ１９２２は、命令を実行して上記サーバ側の方法を実行するように構成される。
【０１０２】
サーバ１９００は、サーバ１９００の電源を管理するように構成される一つ或いは一つ以上の電源アセンブリ１９２６と、サーバ１９００をインターネットに接続するように構成される一つ或いは一つ以上の有線或いは無線ネットワークインタフェイス１９５０と、一つ或いは一つ以上の入出力（Ｉ／Ｏ）インタフェイス１９５８と、一つ或いは一つ以上のキーボード１９５６、及び／あるいは、一つ或いは一つ以上のオペレーティングシステム１９４１とをさらに含んでもよい。サーバ１９００は、メモリ１９３２に記憶されているオペレーティングシステム、例えば、Ｗｉｎｄｏｗｓ（登録商標） ＳｅｒｖｅｒＴＭ，Ｍａｃ ＯＳ ＸＴＭ，Ｕｎｉｘ（登録商標）ＴＭ，Ｌｉｎｕｘ（登録商標）ＴＭ，ＦｒｅｅＢＳＤＴＭなど或いは類似するシステムを操作することができる。
【０１０３】
図８は、１つの例示的な実施例に係るクライアントのブロック図であり、例えば、クライアント８００は、携帯電話、コンピュータ、デジタル放送端末、メッセージ送受信装置、ゲームコンソール、タブレット装置、医療設備、フィットネス装置、ＰＤＡなどである。
【０１０４】
図８を参照すると、クライアント８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ或いは複数のアセンブリを含んでもよい。
【０１０５】
プロセスアセンブリ８０２は、一般的にはクライアント８００の全体の動作を制御するものであり、例えば、表示、電話呼び出し、データ通信、カメラ操作、及び記録操作と関連する動作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含んでプロセスアセンブリ８０２と他のアセンブリの間のインタラクションを容易にしてもよい。例えば、プロセスアセンブリ８０２は、マルチメディアモジュールを含んで、マルチメディアアセンブリ８０８とプロセスアセンブリ８０２の間のインタラクションを容易にしてもよい。
【０１０６】
メモリ８０４は、各種のデータを記憶することによりクライアント８００の動作を支援するように構成される。これらのデータの例は、クライアント８００において動作する任意のアプリケーションプログラム又は方法の命令、連絡対象データ、電話帳データ、メッセージ、画像、ビデオ等を含む。メモリ８０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１０７】
電源アセンブリ８０６は、クライアント８００の各アセンブリに電力を供給する。電源アセンブリ８０６は、電源管理システム、一つ或いは複数の電源、及びクライアント８００のための電力の生成、管理、及び割り当てに関連する他のアセンブリを含んでもよい。
【０１０８】
マルチメディアアセンブリ８０８は、上記クライアント８００とユーザの間に一つの出力インターフェイスを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ８０８は、一つのフロントカメラ、及び／又はリアカメラを含む。クライアント８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１０９】
オーディオアセンブリ８１０は、オーディオ信号を入出力するように構成される。例えば、オーディオアセンブリ８１０は、一つのマイク（ＭＩＣ）を含み、クライアント８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりする。部分実施例において、オーディオアセンブリ８１０は、オーディオ信号を出力するための一つのスピーカーをさらに含む。
【０１１０】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１１１】
センサアセンブリ８１４は、クライアント８００に各方面の状態に対する評価を提供するための一つ以上のセンサを含む。例えば、センサアセンブリ８１４は、クライアント８００のＯＮ／ＯＦＦ状態、クライアント８００のディスプレイとキーパッドのようなアセンブリの相対的な位置決めを検出できる。また、センサアセンブリ８１４は、クライアント８００、或いはクライアント８００の一つのアセンブリの位置変更、ユーザとクライアント８００とが接触しているか否か、クライアント８００の方位、又は加速／減速、クライアント８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ画像センサのような光センサを含んでもよい。部分実施例において、当該センサアセンブリ８１４は、加速度センサ、ジャイロスコープセンサ、磁気センサ、圧力センサ、及び温度センサをさらに含んでもよい。
【０１１２】
通信アセンブリ８１６は、クライアント８００と他の機器の間に有線、又は無線形態の通信を提供する。クライアント８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、上記通信アセンブリ８１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【０１１３】
例示的な実施例において、クライアント８００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１１４】
例示的な実施例において、命令を含むコンピュータ読取り可能な非一時的な記録媒体、例えば命令を含むメモリ８０４をさらに提供し、クライアント８００のプロセッサ８２０により上記命令を実行して上記クライアント側の方法を実現する。例えば、上記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【０１１５】
本発明の実施例は、上記サーバと上記クライアントとを含む通信システムを提供する。
【０１１６】
当業者は、明細書に対する理解、及び明細書に記載された発明に対する実践を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、単なる例示的なものであって、本発明の本当の範囲と主旨は、以下の特許請求の範囲によって示される。
【０１１７】
本発明は、上記で記述し、図面で図示した特定の構成に限定されず、その範囲を離脱しない状況で、様々な修正と変更を実現できる。本発明の範囲は、添付される特許請求の範囲のみにより限定される。
【国際調査報告】
2016533581.tif 000011
2016533581.tif 000012
2016533581.tif 000013
2016533581.tif 000014